(57)【要約】【課題】蓋体を閉じた状態でスライド方向の引き込み力が十分でかつ、スライド方向へロックされており、蓋体をスライド操作する際にロック解除からスライドへの操作性がよいことを可能にした電子機器を提供すること。【解決手段】収納部（４０１、４０２）を覆う蓋体（３０）と、前記蓋体（３０）がスライドかつ回動可能になるように保持する回転軸３０２と、前記蓋体（３０）がスライドすることをロックするロック部材３０１を備えた電子機器において、前記ロック部材３０１はフック部３０１ａを備え、前記蓋体（３０）をスライドさせた際に、前記フック部３０１ａが、前記回転軸３０２に掛止することを特徴とする。【選択図】図１
2017146323.tif 000002
【特許請求の範囲】
【請求項１】
収納部（４０１、４０２）を覆う蓋体（３０）と、
前記蓋体（３０）がスライドかつ回動可能になるように保持する回転軸（３０２）と、
前記蓋体（３０）がスライドすることをロックするロック部材（３０１）を備えた電子機器にいて、
前記ロック部材（３０１）はフック部（３０１ａ）を備え、
前記蓋体（３０）をスライドさせた際に、前記フック部（３０１ａ）が、前記回転軸（３０２）に掛止することを特徴とする電子機器。
【請求項２】
前記ロック部材（３０１）は、前記蓋体（３０）に対して、回転軸部（３０１ｂ）を中心に回動可能に保持されており、前記ロック部材（３０１）の操作部（３０１ｃ）は、前記フック部（３０１ａ）よりも前記回転軸部（３０１ｂ）に近接していることを特徴とする請求項１に記載の電子機器。
【請求項３】
前記蓋体（３０）が閉じた状態において、蓋体（３０）に取り付けられたクリックスプリング（３０３）が前記回転軸（３０２）の前記フック部（３０１ａ）が配置されていない個所を付勢することを特徴とする請求項１に記載の電子機器。
【発明の詳細な説明】
【技術分野】
【０００１】
本発明は、開閉可能な蓋体を有する収納部を備えた電子機器に関し、特にロック機能を有する蓋体に関する。
【背景技術】
【０００２】
従来、携行型の電子機器であるデジタルカメラ等の撮影装置には、電源供給のための電池や、撮影画像を記録するメモリーカードなどの記録媒体を着脱するための収納部を備え、収納部には、開閉可能な蓋体が設けられている。
【０００３】
携行型の電子機器の開閉可能な蓋において、使用者が電子機器を落下させたり、衝撃を与えたりすることで、不用意に開かないようにロック機能を備えるものがある。
【０００４】
特許文献１には、蓋体にロックレバーを備え、ロックレバーを押して、スライドさせることで、蓋体が回動する構成が開示されている。
【０００５】
特許文献２には、蓋体を閉止時からスライド移動させて開放可能にする蓋体に対して、スライド移動を阻止するための係合部を備えた蓋構造が開示されている。
【先行技術文献】
【特許文献】
【０００６】
【特許文献１】特開２００１−４４６５９号公報
【特許文献２】特開２００８−１８１７６７号公報
【発明の概要】
【発明が解決しようとする課題】
【０００７】
しかしながら、上述の特許文献１に開示された従来技術では、蓋を閉じた状態でスライド方向へはロックされているが、ロックレバーの突起が係止しているのみであるため、スライド方向のがたつきが発生しやすい構成である。一般的に、携行型の電子機器の蓋体は、外観の一部を構成しており、蓋体にがたつきが生じると、電子機器を把持する際に品位や操作性を損なう懸念がある。
【０００８】
また、近年、携行型の電子機器には、防滴防塵性能が求められ、蓋体に封止シール材を備えている時、蓋体の閉じ力は、封止シール材の反発力より強くする必要がある。しかしながら、特許文献１に開示された技術では、蓋体をスライド方向へ引き込む力を発生しにいくい構成である。
【０００９】
また、上述の特許文献２に開示された従来技術では、蓋体をスライドさせるためのロック部材のロック解除方向がスライド方向に対して筐体の面で垂直であるため、蓋体をロック解除からスライドさせる操作に関して、２段階の操作となるため、操作しづらい懸念がある。また、ロックレバーのみでなくロックレバー受け部を備え、部品点数も多くなってしまう。
【００１０】
そこで、本発明の目的は、蓋体を閉じた状態でスライド方向の引き込み力が十分でかつ、スライド方向へロックされており、蓋体をスライド操作する際にロック解除からスライドへの操作性がよいことを可能にした電子機器を提供することにある。
【課題を解決するための手段】
【００１１】
上記の目的を達成するために、本発明に係る電子機器は、
収納部（４０１、４０２）を覆う蓋体（３０）と、
前記蓋体（３０）がスライドかつ回動可能になるように保持する回転軸（３０２）と、
前記蓋体（３０）がスライドすることをロックするロック部材（３０１）を備えた電子機器にいて、
前記ロック部材（３０１）はフック部（３０１ａ）を備え、
前記蓋体（３０）をスライドさせた際に、前記フック部（３０１ａ）が、前記回転軸（３０２）に掛止することを特徴とする。
【発明の効果】
【００１２】
本発明によれば、蓋体を閉じた状態でスライド方向の引き込み力が十分でかつ、スライド方向へロックされており、蓋体をスライド操作する際にロック解除からスライドへの操作性がよいことを可能にした電子機器を提供することができる。
【図面の簡単な説明】
【００１３】
【図１】本発明の実施形態における蓋体を閉じた状態での断面図である。
【図２】本発明の実施形態におけるカメラ全体の概略構成を示す斜視図である。
【図３】本発明の実施形態におけるカメラの側面図である。
【図４】本発明の実施形態における蓋体を開いた状態での分解斜視図である。
【図５】本発明の実施形態における蓋体のロック部材を操作した時の断面図である。
【図６】本発明の実施形態における蓋体をスライドさせた時の断面図である。
【図７】本発明の実施形態における蓋体を開いた時の断面図である。
【発明を実施するための形態】
【００１４】
以下に、本発明の好ましい実施の形態を、添付の図面に基づいて詳細に説明する。本発明の実施形態にかかわる電子機器の蓋体として、デジタル一眼レフカメラ（以下、カメラという）のカード蓋を取り上げて説明する。
【００１５】
まず、本発明の第１の実施例に係るカメラの全体の概略構成について図２を参照して説明する。
【００１６】
図２は本実施例に係るカメラ１００の外観図であり、撮影レンズユニット（不図示）を外した状態を示している。図２（ａ）はカメラ１００を前面側（被写体側Ｆｒ）から見た斜視図であり、図２（ｂ）はカメラ１００を背面側（撮影者側Ｒｒ）から見た斜視図である。撮影者側Ｒｒから見て、カメラ１００の右側をＲ、左側をＬとする。
【００１７】
図２（ａ）に示すように、カメラ本体１の正面には、撮影レンズユニットを着脱可能に固定するマウント部２が設けられている。マウント部２には、カメラ本体１と撮影レンズユニットとの間で制御信号、状態信号およびデータ信号等の通信を可能にし、撮影レンズユニット側に電力を供給するマウント接点３が設けられている。
【００１８】
また、カメラ本体１には、マウント部２の近接した位置に、装着された撮影レンズユニットを取り外すときに押下するレンズロック解除ボタン４が設けられている。
【００１９】
カメラ本体１の内部には、撮影レンズを通過した撮影光束が導かれるミラーボックス２０が設けられている。ミラーボックス２０内には、撮影光束を所定の方向に反射させるメインミラー（クイックリターンミラー）６が配設されている。
【００２０】
カメラ本体１には撮影者がカメラ本体１を保持するためのグリップ部９が設けられている。グリップ部９には、撮影者がカメラ１００に対して撮影を指示するためのレリーズボタン１０が設けられている。カメラ本体１の上部には、カメラ本体１に対してポップアップするストロボユニット１１、フラッシュ取り付け用のシュー溝１２およびフラッシュ接点１３が設けられている。
【００２１】
また、図２（ｂ）に示すように、カメラ本体１の背面には、上述したメインミラー６により反射された撮像光束を撮影者が観察できるファインダ接眼窓１４が設けられている。カメラ本体１の背面の中央付近には、画像表示可能なカラー液晶モニタ１５が設けられている。側面には、撮影画像などを記録するメモリーカードを収納する部位を覆うカード蓋３０を備え、請求項に記載の蓋体に相当する。また、底面には、電池を収納する部位を覆う電池蓋３１を備える。
【００２２】
次に、カード蓋３０について詳細に説明する。
【００２３】
図３はカメラ１００を側面Ｒから見た図である。図３（ａ）はカード蓋３０が閉じている状態、図３（ｂ）はカード蓋３０が、開かれた状態を示している。
【００２４】
カード蓋３０の中央部には、ロック部材３０１が設けられている。図３（ｂ）に示すように、カード蓋３０で覆われる位置に、カードスロットＡ４０１、カードスロットＢ４０２の２つが配置されており、請求項に記載の収納部に相当する。本実施例では、カードスロットＡ４０１にはＣＦカード（不図示）、カードスロットＢ４０２にはＳＤカード（不図示）の２種類のメモリーカードを挿入可能な構成となっている。
【００２５】
図４に、図３（ｂ）の状態での、分解斜視図を示す。
【００２６】
カード蓋３０には、ロック部材３０１が取り付けられた上から、クリックスプリング３０３が、ビス３０４、３０５によって、固定される。クリックスプリング３０３が回転軸３０２を付勢する箇所は、二股に分かれており、その間にロック部材３０１のフック部３０１ａが配置される構成である。フック部３０１ａの構成に関しては、後程詳述する。
【００２７】
カード蓋保持部材４００は、カード蓋３０の回転軸３０２を保持するための勘合穴４０６が形成されている。カード蓋３０は、カメラ前後方向（Ｆｒ、Ｒｒ方向）にスライド可能かつ回動可能となるように、回転軸３０２に勘合する部分を長穴３１２で形成している。また、カード蓋保持部材４００のカードスロットＡ４０１、Ｂ４０２を取り囲む部分には、防塵防水のためのシール材４０３が配置されている。
【００２８】
カード蓋３０のクリックスプリング３０３の上には、スプリングカバー３０６が、ビス３０７、３０８によって、固定され、カード蓋３０を閉じた状態で、シール材４０３で封止できる構成になっている。さらに、ねじりコイルばねである蓋開きバネ３０９が、回転軸３０２に遊嵌するようにして配置され、カード蓋保持部材４００に対してカード蓋３０を回動させる方向に付勢している。
【００２９】
以上のように構成されたカード蓋に関して、開閉動作の詳細を説明する。
【００３０】
図１、図５〜図７は図３を用いてカード蓋のロック機構及びスライド開閉動作に関して、順に説明する。
【００３１】
図１はカード蓋３０が閉じている状態（＝図３（ａ））での図３のＡ−Ａ断面図またはＢ−Ｂ断面図を示す。図５はカード蓋３０のロック部材３０１を押しこんだ状態での図３のＡ−Ａ位置の断面図を示す。図６はロック解除した後、カード蓋３０をＲｒ方向にスライドした状態での図３のＡ−Ａ位置の断面図を示す。図７はカード蓋３０が開いた状態（＝図３（ｂ））での図３のＡ−Ａ位置の断面図を示す。
【００３２】
図１はカード蓋３０が閉じている状態（＝図３（ａ））を示す。図１（ａ）は図３のＡ−Ａ断面図、図１（ｂ）は図１（ａ）のフック部３０１ａの拡大図、図１（ｃ）は図３のＢ−Ｂ断面図である。
【００３３】
図１（ａ）に示すように、ロック部材３０１は、カード蓋３０に対して、回転軸部３０１ｂを中心に回動可能に保持されており、付勢部材（不図示）により外観側であるＲ方向に付勢されている。回転軸部３０１ｂは、回転軸３０２に略平行に配置されている。付勢部材は、コイルばねやゴムなどの弾性部材である。カード蓋３０は引き込み爪３１０を備え、カード蓋保持部材４００の引き込み穴４０４に挿入され、係合している。
【００３４】
図４に示すように、カード蓋３０には引き込み爪が２か所に設けられており、３１１、４０５も同様に係合している。このようにして、カード蓋３０は、爪３１０、３１１が係合することで、Ｌ方向に引き込まれているため、回転方向のがたつきはなく、グリップ部９を把持する際に品位が良い。
【００３５】
図１（ｂ）に示すように、ロック部材３０１は、フック部３０１ａを備える。フック部３０１ａは、回転軸３０２に対して、Ｆｒ方向側に配置されている。フック部３０１ａは、カード蓋３０が閉じている状態で回転軸３０２には触れていない。閉じている状態でフック部３０１ａの先端は回転軸３０２の中心よりもＲ方向にｆだけ突出しており、回転軸３０２側に凹部を形成している。したがって、カード蓋３０をＲｒ方向にスライドさせた時に、フック部３０１ａが回転軸３０２にひっかかることでカード蓋３０のスライドをロックする構成である。このため、カメラ１００に落下による衝撃などが加わった時でも、不用意にカード蓋３０がスライドされることはない。
【００３６】
図１（ｃ）は閉じ状態でのクリックスプリング３０３の状態を示す。閉じ状態では、クリックスプリング３０３は、回転軸３０２を付勢することにより、カード蓋３０をＦｒ方向に引き込んでいる。これにより、カード蓋３０はシール材４０３を十分チャージすることができ、また、カメラ前後方向（Ｆｒ、Ｒｒ方向）のがたつきも抑えられる。
【００３７】
図５はロック部材３０１が押し込まれてカード蓋３０のスライド方向のロックが解除されている状態での図３のＡ−Ａ断面図を示す。
【００３８】
図５（ａ）に示すように、ロック部材３０１は、カード蓋３０に対して、回転軸部３０１ｂを中心に回動可能な状態で取り付けられているため、ロック部材３０１の操作部３０１ｃをＬ方向に押し込むことでフック部３０１ａは、回転軸３０２から外れる方向に回動する。ロック部材３０１の操作部３０１ｃは、図３のＰＵＳＨと示している箇所である。
【００３９】
図５（ｂ）はフック部３０１ａの拡大図であるが、フック部３０１ａの先端が回転軸３０２の中心よりＬ方向にｇだけシフトした位置に移動しているため、カード蓋３０のスライド操作が可能となる。この時、ロック部材３０１は、弾性部材であるため、フック部３０１ａの先端が回転軸３０２から退避しなくても、回転軸３０２の中心よりＬ方向に移動していれば、フック部３０１ａが撓んで、スライドすることが可能である。このように、ロック部材３０１が撓むことによって、フック部３０１ａのロック解除までの移動量を低減にできるため、操作部３０１ｃを押し込む量も低減できる。
【００４０】
さらに、ロック解除操作に関して、ロック部材３０１の操作部３０１ｃは、回転軸部３０１ｂに対して、フック部３０１ａよりも近いので、操作部３０１ｃのＬ方向への操作量よりも、フック部３０１ａのＬ方向への移動量が大きくなる。このため、ロック解除操作のＬ方向のストロークが低減される。
【００４１】
このように、ロック部材３０１の操作部３０１ｃをＬ方向に押し込む量を低減させることで、スライド操作のＲｒ方向への連動性がよく、操作性がよい。
【００４２】
図６はカード蓋３０がＲｒ方向にスライド操作された状態での図３のＡ−Ａ断面図を示す。この時、ロック部材３０１は、ユーザーが操作部３０１ｃに触れていなければ、外観側のＲ方向に付勢する力が働いているため、フック部３０１ａは回転軸３０２に当接している。このため、スライド状態からその後のカード蓋３０の開き状態において、ロック部材３０１が回転方向にガタつくことはない。カード蓋３０がスライドされると、カード蓋３０の引き込み爪３１０（３１１）がカード蓋保持部材４００の引き込み穴４０４（４０５）に係合されなくなるため、蓋開きバネ３０９によりカード蓋３０は開き方向に付勢される。
【００４３】
図７は図３のＡ−Ａ断面図であり、カード蓋３０が開いた状態の断面図である。カード蓋３０がスライドされた後、蓋開きバネ３０９により回動方向に付勢され、約１３５°回動して開いた状態になる。
【００４４】
カード蓋３０を閉じる時は、図１、図５〜図７の逆の動作になる。
【００４５】
従って、本発明の構成によれば、カード蓋３０の閉じ状態では、クリックスプリング３０３により、スライド方向への引き込み力は十分であり、スライド方向のがたつきがなく、シール材４０３を十分にチャージすることが可能である。また、カード蓋３０の２か所の引き込み爪３１０、３１１により、Ｌ方向にもガタツキなく引き込める構成である。さらに、ロック部材３０１のフック部３０１ａにより、スライド方向へはロックされている。
【００４６】
閉じ状態からロック解除、スライドへの操作に関しては、ロック部材３０１の操作部３０１ｃの押し込み量が少なくスライドさせることができるので、２方向の操作が連動しているため、操作性は良い。
【００４７】
即ち、本発明によれば、カード蓋３０を閉じた状態でスライド方向の引き込み力が十分でかつ、スライド方向へロックされており、蓋体をスライド操作する際にロック解除からスライドへの操作性がよいことを可能にした電子機器を提供することが可能である。
【００４８】
以上、本発明の好ましい実施形態について説明したが、本発明はこれらの実施形態に限定されず、その要旨の範囲内で種々の変形及び変更が可能である。
【符号の説明】
【００４９】
３０  カード蓋、３０１  ロック部材、３０１ａ  フック部、
３０１ｂ  ロック部材の回転軸部、３０１ｃ  ロック部材の操作部、
３０２  カード蓋の回転軸、３０３  クリックスプリング、３０６  スプリングカバー、
３１０（３１１）  引き込み爪、４００  カード蓋保持部材、
４０１  カードスロットＡ、４０２  カードスロットＢ、４０３  シール材、
４０４（４０５）  引き込み穴
【図１】
2017146323.tif 000003
【図２】
2017146323.tif 000004
【図３】
2017146323.tif 000005
【図４】
2017146323.tif 000006
【図５】
2017146323.tif 000007
【図６】
2017146323.tif 000008
【図７】
2017146323.tif 000009